(57)【特許請求の範囲】
【請求項１】
隣接椎体の間にインプラントを固定する際に用いるガイド装置であって、
把持部と；
この把持部に固定され、内周にインプラント固定用治具を挿脱可能な中空内筒と；
この中空内筒の先端部に前方に突出させて設けた、脊髄の横に押し当てられる第一のガイド突起と；
上記中空内筒の外側に少なくとも回動自在に嵌めた移動外筒と；
この移動外筒の先端部に前方に突出させて設けた、神経根の横に押し当てられる第二のガイド突起と；
を備え、
上記第一ガイド突起を脊髄の横に、上記第二ガイド突起を神経根の横にそれぞれ押し当てながら挿入した状態で、上記移動外筒を中空内筒に対して相対回動させることを特徴とする椎体間固定インプラントのガイド装置。
【請求項２】
請求項１において、移動外筒は、軸方向移動も可能である椎体間固定インプラントのガイド装置。
【請求項３】
請求項１または２において、移動外筒には、径方向に突出する操作ノブが一体に設けられている椎体間固定インプラントのガイド装置。
【請求項４】
請求項１ないし３のいずれか１項において、第一のガイド突起は、中空内筒の外面に固定されていて、移動外筒の抜け止め機能および回動範囲規制機能を持つ椎体間固定インプラントのガイド装置。
【発明の詳細な説明】
【０００１】
【技術分野】
本発明は、頸椎等の椎体の変性疾患治療のため、隣接椎体間にインプラントを螺合させる際に使用するガイド装置（治具）に関する。
【０００２】
【従来技術およびその問題点】
頸椎の変性疾患治療のため、環椎（第１頸椎）と第２頸椎の間の亜脱臼部位にスクリュー（インプラント）を螺合固定する手術法が知られている。しかし、この手術は、スクリュー螺合部位に極めて接近した位置に脊髄や神経根が存在するため、手術時にこれら脊髄や神経根を損傷するおそれがある。このため、手術時間に多くを要し、術者、患者双方の大きな負担となっていた。
【０００３】
【発明の目的】
本発明は、このような隣接椎体間にスクリュー等のインプラントを固定する手術の際に、脊髄や神経根を損傷するおそれなく、安全に手術を行なうことができるインプラントのガイド装置を得ることを目的とする。
【０００４】
【発明の概要】本発明の椎体間固定インプラントのガイド装置は、隣接椎体の間にインプラントを固定する際に用いるガイドであって、把持部と；この把持部に固定され、内周にインプラント固定用治具を挿脱可能な中空内筒と；この中空内筒の先端部に前方に突出させて設けた、脊髄の横に押し当てられる第一のガイド突起と；上記中空内筒の外側に少なくとも回動自在に嵌めた移動外筒と；この移動外筒の先端部に前方に突出させて設けた、神経根の横に押し当てられる第二のガイド突起と；を備え、上記第一ガイド突起を脊髄の横に、上記第二ガイド突起を神経根の横にそれぞれ押し当てながら挿入した状態で、上記移動外筒を中空内筒に対して相対回動させることを特徴としている。
【０００５】
このガイド装置によると、インプラント挿入部位に内筒及び移動外筒を当て付けるとき、その第一ガイド突起を脊髄の横に、第二ガイド突起を神経根の横にそれぞれ押し当てながら挿入し、次に、移動外筒を回動させることにより、第二ガイド突起によって神経根を損傷することなく、移動させることができる。インプラントの挿入固定手術は、以上のセットが終了した状態において、内筒内に治具、例えば、ドリルやドライバーを順次挿入して行なう。
【０００６】
移動外筒は、内筒に対する軸方向移動も可能とすることが望ましく、さらに径方向に突出する操作ノブを一体に設けることが好ましい。
【０００７】
【発明の実施形態】
図１ないし図４に示す、本発明による椎体間固定インプラントのガイド装置は、把持部１０、中空内筒２０、および移動外筒３０を備えている。把持部１０は、円柱状部１１と偏平部１２とを有し、偏平部１２の先端に、中空内筒２０の一端部が固定されている。円柱状部１１には、滑り止めのローレット１３が付されている。
【０００８】
中空内筒２０は、その一端開口部２１を偏平部１２に開口させた状態で、ねじ２２により該円柱状部１１に固定されている。この中空内筒２０の他端部の端面は、中心部が尖った平面山形部２３をなしている。この平面山形部２３の一方の頂部には、移動外筒３０を中空内筒２０の外周に嵌めた後、第一ガイド突起２４が固定ねじ２５で固定されている。第一ガイド突起２４は、中空内筒２０の前方に該中空内筒２０の軸線と平行な方向に突出している。
【０００９】
移動外筒３０は、中空内筒２０の外周に回動及び軸線移動自在に嵌められ、その把持部１０側の一端部に、径方向に突出する操作ノブ３１を有し、他端部に、第二ガイド突起３２を有する。この第二ガイド突起３２は、移動外筒３０の前方に該移動外筒３０の軸線と平行な方向に突出している。移動外筒３０は、その端面３３が中空内筒２０の第一ガイド突起２４の端部と係合して抜け止められ、第二ガイド突起３２が第一ガイド突起２４の両側面と係合してその回動範囲が１回転以下に規制される。
【００１０】
図５ないし図１０は、以上の構成を有する椎体間固定インプラントのガイド装置を用いた手術法の概略図であり、環椎（第１頸椎）５０と第２頸椎６０との間のＡ部位に、インプラントとしてのスクリュー９０を螺合固定する場合を例示している。まず、術者は把持部１０を把持し、脊髄７０と神経根８０を避けながら、図５、図６に示すように、中空内筒２０をＡ部位に当て付ける。このとき、中空内筒２０の平面山形部２３を尖らせているために滑りを防止できる。この際、第一ガイド突起２４は、脊髄７０を損傷しないように、脊髄７０の側部に押し付ける。次に、または同時に、第二ガイド突起３２を脊髄７０及び神経根８０とは接触しない位置に位置させて移動外筒３０を押し込み、その後、図７、図８に示すように、移動外筒３０を回動させて第二ガイド突起３２により神経根８０を押し上げる。このとき、移動外筒３０が軸線移動自在であるため、第二ガイド突起３２は凹凸のある頸椎上に沿って引っ掛かりなく回動できる。このセット状態では、脊髄７０及び神経根８０は、中空内筒２０の中心孔から十分逃げた位置にある。６１は第２頸椎６０の棘突起である。
【００１１】
このセット状態で、中空内筒２０の一端開口部２１から、先ずドリルを挿入して環椎（第１頸椎）５０と第２頸椎６０の隣接部位に下穴を穿ける。次に、ドリルを抜いてからタップを挿入して下ねじを切った後、スクリュー９０を一端開口部２１から中空内筒２０内に挿入し、さらにドライバーを挿入してスクリュー９０を回転させ、下ねじに螺合固定させる（図９、図１０）。手術の態様によってはドリルとタップのいずれか一方の加工は省略することができる。
【００１２】
以上の手術において、中空内筒２０の第一ガイド突起２４は脊髄７０がドリルやタップあるいはスクリュー９０によって損傷されるのを防止し、移動外筒３０の第二ガイド突起３２は同様に神経根８０が損傷されるのを防止する。よって、最初の中空内筒２０と移動外筒３０のセットを注意深く実行すれば、後の下穴加工およびスクリュー９０の螺合固定作業は、極めて高い安全性で迅速に行なうことができる。
【００１３】
上記実施例では、インプラントとしてスクリューを例示したが、スクリュータイプ以外のインプラントのガイド装置としても本発明装置は利用できる。
【００１４】
【発明の効果】
本発明によれば、隣接椎体間にインプラントを固定する手術の際に、脊髄や神経根を損傷するおそれなく、安全に手術を行なうことができるインプラントのガイド装置が得られる。
【図面の簡単な説明】
【図１】本発明による椎体間固定インプラントのガイド装置の実施例を示す斜視図である。
【図２】同正面図である。
【図３】同平面図である。
【図４】同側面図である。
【図５】本発明による椎体間固定インプラントのガイド装置を用いた手術法を模式的に示す、頸椎の手術部位の背面図である。
【図６】同側面図である。
【図７】図５とは異なる状態の頸椎の手術部位の背面図である。
【図８】同側面図である。
【図９】図５、図７とは異なる状態の頸椎の手術部位の背面図である。
【図１０】同側面図である。
【符号の説明】
１０  把持部
２０  中空内筒
２１  一端開口部
２４  第一ガイド突起
３０  移動外筒
３１  操作ノブ
３２  第二ガイド突起
５０  環椎（第１頸椎）
６０  第２頸椎
７０  脊髄
８０  神経根
９０  スクリュー（インプラント）
【図１】
0003819962.tif 000002
【図２】
0003819962.tif 000003
【図３】
0003819962.tif 000004
【図４】
0003819962.tif 000005
【図５】
0003819962.tif 000006
【図６】
0003819962.tif 000007
【図７】
0003819962.tif 000008
【図８】
0003819962.tif 000009
【図９】
0003819962.tif 000010
【図１０】
0003819962.tif 000011